(57)【要約】【課題】  従来の荷かご（フロントバスケット）は、本体フムームのハンドルポストに固定されいてるランプブラケットとフロントフォークに固定された荷かご受けに設置されている為、ハンドル操作と同じ方向に移動するので、荷かごに荷物を入れた時自転車のバランスがとりずらくなり大変危険であった。また、荷かごに荷物を入れて駐輪するとハンドルが荷物の重さにより回転して自転車が倒れる問題が見受けられる。【解決手段】  荷かご１１（フロントバスケット）の設置に利用されているランプブラケット５をヘッドチューブ４の上側部と上ワン３ａ（上玉受け）との間に設置する。また、荷かご受け６はヘッドチューブ４の下側部と下ワン３ｂ（下玉受け）との間に設置する。設置したランプブラケット５と荷かご受け６に荷かご１１を固定することによって、荷かご１１は自転車本体のヘッドチューブ４に固定されハンドル操作に関係なく安定した走行が可能となります。【選択図】  図１
2007050870.tif 000002
【特許請求の範囲】
【請求項１】
ヘッドチューブの上側部とヘッドチューブの上側部に組み込まれるヘッド小物の上ワン（上玉受け）との間に荷かごブラケットを接合することによって本体ヘッドチューブと一体化することを特徴とする荷かごブラケットおよびその類似品。
【請求項２】
ヘッドチューブの下側部とヘッドチューブの下側部に圧入されている下ワン（下玉受け）との間にブラケットを接合することによって本体ヘッドチューブと一体化することを特徴とする荷かご受けブラケットおよびその類似品。
【請求項３】
荷かご取付部材（ブラケットを含む）の両端取付孔を縦横方向のクロス型長孔に貫設して荷かご取付部材の取付け位置を前後左右へ任意に変位できるようにしたことを特徴とする請求項１または請求項２に記載する自転車の荷かご取付金具およびその類似品。
【発明の詳細な説明】
【技術分野】
【０００１】  本発明は、自転車の前部に取付ける荷かご取付金具およびその類似品の改良に関するものである。
【背景技術】
【０００２】  従来の自転車用荷かごは、ハンドルポストに固定されているランプブラケットと左右の前フォークに固定されているアームに荷かご取付金具で荷かごを固定している。ランプブラケットと自転車の前輪のアームによってハンドルと一体となっている荷かごは、荷かご内の収納物の重量によっては前方左折走行時には自転車の前輪左側へ重心が大きく移動する。また、前方右折走行時には自転車の前輪右側へ重心が大きく移動するため、ハンドルの左右の操作による自転車の走行バランスがとりずらく転倒する危険性があり走行上問題があった。また、自転車の駐輪においては、自転車後方のリヤホークエンドに固定されているスタンドによって駐輪するが、荷かご内の収納物の重量によっては荷かごと一体になっている自転車の前輪が右側または左側へ回転して自転車が倒れ収納物を破損する虞があった。【０００３】  本発明は、前記のような問題を解決するために創案されたもので、その目的とするところは、簡単な構造で荷かご内の収納物の重量により自転車のハンドル操作に負荷がかからず安全に自転車の走行ができ、荷かご内の収納物の重量による駐輪時の自転車の転倒を防ぐための荷かご取付具およびその類似品を提供することにある。本発明における「荷かご取付具およびその類似品」とは、荷かご取付具に限定せず自転車のヘッドチューブ上側部と上ワン（上玉受け）との間に係合うブラケットおよび自転車のヘッドチューブ下側部と下ワン（下玉受け）との間に係合うブラケットなどをすべて含む概念である。
【発明の開示】
【課題を解決するための手段】
【０００４】  本発明は、上記目的を達成するために自転車のヘッドチューブ上側部と上ワン（上玉受け）との間に荷かごブラケットを結合することによりヘッドチューブとブラケットが一体化した構成としている。【０００５】  また、荷かご受けとして自転車のヘッドチューブ下側部と下ワン（下玉受け）との間にブラケットを結合することによりヘッドチューブとブラケットが一体化した構成としている。
【発明の効果】
【０００６】  上述したように本発明の荷かご受けブラケットは、ヘッドチューブ上側部と一体化型構造となっているので荷かご内の収納物の重量に左右されることなく自転車のハンドル操作等の取り扱いが容易にできる。また、荷かご受けごブラケットは、ヘッドチューブ下側部と一体化型構造なっているので自転車の前輪走行方向に左右されることなく荷かごの受け台として荷かごを補強する効果を実現することができる。【０００７】  ヘッドチューブと一体化型した荷かごは、一般的な自転車の駐輪時のスタンド使用において荷かご内の収納物の重量によるハンドル回転の重心移動が小さく駐輪時の自転車の転倒を未然に防ぐ効果を実現することができる。【０００８】  この自転車用荷かごは、側部取付部材と下部固定部材が別々の部材で構成されている。このため荷かごの材質や形成は自由であり極めて汎用性が高い。また、従来の市販されている自転車用荷かごを取付けることが可能であることがら、製品を著しく安価で提供することができる。
【発明を実施するための最良の形態】
【０００９】  以下、本発明の実施の形態を図１から図１５に基づいて説明する。【００１０】  図７で示すように荷かご取付ブラケットとしては、荷かごブラケット５および荷かご受けブラケット６によって構成されている。【００１１】  図３および図１５で示すようにＬ字状に形成された荷かごブラケット５は、自転車の上ワン３ａとヘッドチューブ上側部４ａとの間に結合して、図４で示すようにヘッドチューブ４に固定するように構成されている。【００１２】  荷かごブラケット５に荷かご本体１１を固定させる取付部材として、図９および図１４で示すように一対の側部取付部材８および荷かごブラケット固定部材９とから構成されている。【００１３】  図９で示すように側部取付部材８は長四角板状に形成され左右両端部には、左右一対の側部取付部材孔８ａが横方向に延びる長孔状に貫設されている。また、荷かごブラケット固定部材９は、長四角版の中央部を略凹設の溝状に折り曲げることにより荷かごブラケット固定部材凹設部９ｃを設け、左右両端部には左右一対の荷かごブラケット固定部材孔９ａが横方向に延びる長孔状に貫設されている。【００１４】  荷かご受けブラケット６においては、図５で示すように鋼材によりＴ字状に形成されている。この荷かご受けブラケット６の先端Ｔ字状の左右両端部には、左右一対の荷かご受けブラケット荷かご取付孔６ｂがクロス孔状に貫設されている。また、荷かご受けブラケット取付部６ｅは、図５で示すように円形筒孔状に貫設された荷かご受けブラケット取付孔６ａが形成されており自転車のヘッドチューブ下側部４ｂと下ワン３ｂとの間に結合して、図６で示すようにヘッドチューブ４と一体化する構成となっている。【００１５】  荷かご本体１１を荷かご受けブラケット６に固定する下部固定部材７は、図２で示すように長四角版状に形成された金属板または合成樹脂版で構成されている。この下部固定部材７の左右両端部には、左右一対の下部固定部材取付孔７ａが長孔状に貫設されている。そして、荷かご本体１１は、荷かご本体内部底面部１１ｃに下部固定部材７を接合して荷かご受けブラケット荷かご取付孔６ｂ及び下部固定部材７の下部固定部材取付孔７ａを固定ボルト又はリベットにより螺着することによって荷かご受けブラケット６に固着されるようになっている。また、固着強固手段としてワッシャー１０を備えている。
【実施例１】
【００１６】  以下、上記構成において、自転車のヘッドチューブ４に固定されている前記ブラケットに荷かご本体１１を取付ける実施例を説明する。先ず図７で示すように荷かご受けブラケット６の荷かご受けブラケット平面部６ｃの中央部に、図８で示すように荷かご本体外部底面部１１ｂの底中央部を乗せると共に荷かご本体後部側面部１１ａと荷かごブラケット取付前側面５ａとを密着させる。【００１７】  荷かご本体１１を荷かごブラケット５に固定するためには、図９で示すように側部取付部材８と荷かごブラケット固定部材９を対向面に当接して固定する。固定手段は図１０で示すように、荷かごブラケット５の荷かご取付後側面部５ｂに荷かごブラケット固定部材凹設部９ｃの凹部を密着させると荷かごブラケット固定部材９が荷かご本体後部側面部１１ａに接合する。その後、図１１で示すように側部取付部材８を荷かご本体１１の内側部より荷かご本体後部側面部１１ａに密着させると共に側部両端取付部８ｂと荷かごブラケット両端取付部９ｂを平行状に接合して側部取付部材孔８ａと荷かごブラケット固定部材孔９ａをボトル、ナットで締付けて、図１２で示すように荷かご本体１１を荷かごブラケット５に固定する。【００１８】  荷かごの構造によっては、荷かご本体後部側面部１１ａを補強かつ安定的に荷かごブラケット５に固着する必要がある場合は、図１４で示すように左右二対の側部取付部材孔８ａが貫設されている長四角版の側部取付部材８と左右二対の荷かごブラケット固定部材孔９ａが貫設されている荷かごブラケット固定部材９を使用しることにより荷かご本体１１を荷かごブラケット５に固着することが出来る。また、荷かごブラケット５の代りに現在市販されている略Ｔ字状に形成された図１５で示すブラケットを使用する場合、略Ｔ字型ブラケット５ｄの係止する係入孔５ｅと側部取付部材孔８ａをボルト、ナットで締付ける。【００１９】  上記のようにして自転車用荷かごをヘッドチューブ４に取付けることができる。さらに、安定かつ強固に荷かご本体１１をヘッドチューブ４に取付けるには、荷かご受けブラケット６に荷かご本体１１を固着することが望ましい。即ち、図１２で示すように荷かご本体外部底面部１１ｂは荷かご受けブラケット平面部６ｃの上側平面に乗せた状態であり、図１３で示すように下部固定部材７で荷かご本体１１を荷かご受けブラケット６に固定することで安定かつ強固に固着することが可能である。【００２０】  荷かご本体１１を荷かご受けブラケット６に固定するには、図１３で示すように下部固定部材７の下部両端取付部７ｂを荷かご本体内部底面部１１ｃに配置して、図２で示すように荷かご受けブラケット荷かご両端取付部６ｄと平行状に接合すると共に下部固定部材取付孔７ａを荷かご受けブラケット荷かご取付孔６ｂの位置に前後左右移動して最適位置に調整してボルト、ワッシャー１０、ナットによる締付けで荷かご本体１１を荷かご受けブラケット６に固定する。【００２１】  図１２で示すように荷かご本体１１が荷かごブラケット５に固定されていても、図５、図６および図７で示すように荷かご受けブラケット荷かご取付孔６ｂはクロス孔状に貫設されているので荷かご受けブラケット６への取付け位置を最高位置で荷かご本体１１を荷かご受けブラケット６に確実に固定することができる。【００２２】  荷かご受けブラケット荷かご取付孔６ｂは、クロス孔状に形成されているので締付けを強固にするためには、図２で示すようにクロス孔状に形成されている荷かご受けブラケット荷かご取付孔６ｂの上下にワッシャー１０を配置することが望ましい。なお、取付け実施上は上記取付け手順に限定する必要はない。
【図面の簡単な説明】
【００２３】
【図１】  本発明の取付金具に荷かごを取付けた実施形態の外観図
【図２】  取付部材を示す分解斜視図
【図３】  荷かごブラケット（ランプブラケット）の取付を示す分解斜視図
【図４】  荷かごブラケットをヘットチューブ上側に取付た場合の外観図
【図５】  荷かご受けブラケットの取付を示す分解斜視図
【図６】  荷かご受けブラケットをヘットチューブ下側に取付た場合の部分外観図
【図７】  荷かごブラケットと荷かご受けブラケットを取付た場合の外観図
【図８】  ブラケットに荷かごを設置した場合の外観図
【図９】  荷かごブラケットに荷かごの取付を示す分解斜視図
【図１０】  荷かごブラケット固定部材を配置した場合の部分外観図
【図１１】  荷かごの内部側面部に側部取付部材を密着した場合の部分斜視図
【図１２】  荷かごを荷かごブラケットに取付た場合の外観図
【図１３】  荷かごの内部底面部に下部固定部材を配置した場合の部分斜視図
【図１４】  側部取付部材と荷かごブラケット固定部材の部材斜視図
【図１５】  略Ｔ字型ブラケットの外観図
【符号の説明】
【００２４】１  ハンドル
２  ハンドルポスト
３  ヘッド小物
３ａ  上ワン
３ｂ  下ワン
３ｃ  下玉押し
４  ヘッドチューブ
４ａ  ヘッドチューブ上側部
４ｂ  ヘッドチューブ下側部
５  荷かごブラケット（ランプブラケット）
５ａ  荷かご取付前側面
５ｂ  荷かご取付後側面
５ｃ  荷かごブラケット取付孔
５ｄ  略Ｔ字型ブラケット
５ｅ  係入孔
６  荷かご受けブラケット
６ａ  荷かご受けブラケット取付孔
６ｂ  荷かご受けブラケット荷かご取付孔
６ｃ  荷かご受けブラケット平面部
６ｄ  荷かご受けブラケット荷かご両端取付部
６ｅ  荷かご受けブラケット取付部
７  下部固定部材
７ａ  下部固定部材取付孔
７ｂ  下部両端取付部
８  側部取付部材
８ａ  側部取付部材孔
８ｂ  側部両端取付部
９  荷かごブラケット固定部材
９ａ  荷かごブラケット固定部材孔
９ｂ  荷かごブラケット両端取付部
９ｃ  荷かごブラケット固定部材凹設部
１０  ワッシャー
１１  荷かご本体（フロントバスケット）
１１ａ  荷かご本体後部側面部
１１ｂ  荷かご本体外部底面部
１１ｃ  荷かご本体内部底面部
１２  トップチューブ
１３  ダウンチューブ
１４  ホーククランク
１５  ホークプレイズ
【図１】
2007050870.tif 000003
【図２】
2007050870.tif 000004
【図３】
2007050870.tif 000005
【図４】
2007050870.tif 000006
【図５】
2007050870.tif 000007
【図６】
2007050870.tif 000008
【図７】
2007050870.tif 000009
【図８】
2007050870.tif 000010
【図９】
2007050870.tif 000011
【図１０】
2007050870.tif 000012
【図１１】
2007050870.tif 000013
【図１２】
2007050870.tif 000014
【図１３】
2007050870.tif 000015
【図１４】
2007050870.tif 000016
【図１５】
2007050870.tif 000017